(57)【特許請求の範囲】
【請求項１】
光多重伝送システムの単位システム別のシステム機能試験を行うべく、光配線盤(D)に接続された接続光ケーブル(E)と伝送装置(C)の対応する機能部分との間に挿入接続される光スイッチ装置(1)であって、前記伝送装置(C)に接続されるコネクタ光ケーブル(19)と、前記接続光ケーブル(E)が接続される光スイッチ本体(2)とから構成され、該光スイッチ本体(2)に、各光信号伝送ライン別に、前記接続光ケーブル(E)が着脱自在に接続される不動に固定されたスイッチアダプタ(20)と、前記コネクタ光ケーブル(19)に接続され、前記スイッチアダプタ(20)に対して着脱自在に進退変位するスイッチコネクタ(16)と、該スイッチコネクタ(16)の後退変位状態で、該スイッチコネクタ(16)と前記スイッチアダプタ(20)との間に侵入して両者間の光信号の伝送を遮断し、前記スイッチコネクタ(16)の前記スイッチアダプタ(20)に対する前進装着状態で、該スイッチコネクタ(16)とスイッチアダプタ(20)との間から退避する遮光板(13)と、を有するスイッチ部(5)を設けて成る光多重伝送システムにおけるシステム機能試験用光スイッチ装置。
【請求項２】
光多重伝送システムの単位システムにおける０系部の二本の光信号伝送ラインと１系部の二本の光信号伝送ラインとに対応して、スイッチ部(5)とコネクタ光ケーブル(19)との組合せを四つ並列に設けた請求項１記載の光多重伝送システムにおけるシステム機能試験用光スイッチ装置。
【請求項３】
スイッチ部(5)のスイッチコネクタ(16)を、不動に固定したレール(6)に沿って、スイッチアダプタ(20)に対して直線的に進退移動するスライダ(7)に組付け固定し、遮光板(13)を、前記スライダ(7)の側近に固定した固定片(14)に基端を固定し、前記スイッチコネクタ(16)の後退変位状態で、該スイッチコネクタ(16)とスイッチアダプタ(20)との間に先端部を侵入移動させ、前記スイッチコネクタ(16)の前進状態で、該スイッチコネクタ(16)とスイッチアダプタ(20)との間から先端部を退避移動させる弾材製平板体とし、前記遮光板(13)の先端部の移動変位を、該遮光板(13)が弾接する前記スライダ(7)の移動変位に従った前記遮光板(13)の弾性変形により行わせる請求項１または２記載の光多重伝送システムにおけるシステム機能試験用光スイッチ装置。
【請求項４】
遮光板(13)が弾接するスライダ(7)部分を、該スライダ(7)に立設固定された、スプリング機能を有するピン(12)で構成した請求項３記載の光多重伝送システムにおけるシステム機能試験用光スイッチ装置。
【請求項５】
光スイッチ本体(2)のスイッチ部(5)を内蔵したケース(3)の、スイッチコネクタ(16)と一体に移動する部分の直上となる頂板部分に、前記スイッチコネクタ(16)の移動方向に沿って長くなった長孔(3')を開設し、該長孔(3')から、前記スイッチコネクタ(16)と一体に移動する部分に基端を固定した摘み(11)の先端部を突出させた請求項１または２または３または４記載の光多重伝送システムにおけるシステム機能試験用光スイッチ装置。
【発明の詳細な説明】
【０００１】
【産業上の利用分野】
本発明は、光多重伝送システムの親局と子局との間に単位システムを構成する光ケーブルを新設する時等に、この新設光ケーブルの試験を含むシステム機能試験を、単位システム毎に行う際に使用する光スイッチ装置に関するものである。
【０００２】
【従来の技術】
光ケーブル新設時等に、光多重伝送システムの親局と子局との間で、新設した光ケーブルの試験を含めた単位システム毎のシステム機能試験は、親局側の作業者と子局側の作業者とが別の打合せ回線を利用して、光信号の断続等によるランプの点灯、切替え等を双方確認しながら作業を進める。
【０００３】
この光多重伝送システムにおけるシステム機能試験に際して、光ケーブルを介して伝送された光信号の断続は、局の伝送装置と光配線盤との間に接続された接続光ケーブルを小さい曲率半径で曲げて光信号に光の損失（マイクロベンディング損）を与え、この光の損失による光減衰状態を“断”状態と判断してシステム機能試験を行っていた。
【０００４】
この光信号の断続方法は、接続光ケーブルを一定の小さい曲率半径に曲げるのに、専用の電動装置を要することから、試験装置に要する費用が高額となると云う不満があり、また接続光ケーブルをマイクロベンディング損が発生するまで小さい曲率半径に強引に曲げるので、光ケーブルのコアそのものが使用回数と経時によって損傷すると云う不満があった。
【０００５】
この不満を解消する手段として、図９に示すように、親局Ａおよび子局Ｂの光配線盤Ｄに対する接続光ケーブルＥの接続を、光配線盤Ｄに対する接続光ケーブルＥの接続コネクタＦの着脱により達成する手法が採用されている。
【０００６】
この手法は、接続光ケーブルＥそのものを損傷させずに済むのであるが、試験の度に接続コネクタＦを着脱するので、この接続コネクタＦそのものに早期に損傷が発生する恐れがあり、また狭い場所に設置され、膨大な数の接続光ケーブルＥが接続された光配線盤Ｄから、目的とする接続光ケーブルＥの接続コネクタＦを選び出して着脱処理することは、作業上、過大な困難を伴うと共に、他の接続光ケーブルＥの接続コネクタＦを着脱してしまうことがあり、さらに作業者の体の一部が接続光ケーブルＥに押圧される等して伝送システムに損傷を与える等の不都合があった。
【０００７】
この光配線盤Ｄに対する接続光ケーブルＥの接続コネクタＦの着脱手段の不都合を解消する従来技術として、図１０に示すように、伝送装置Ｃに接続された接続光ケーブルＥを、光信号の断続切替え機能を有する光スイッチ体１’を介して光配線盤Ｄに接続する手段が考えられている。
【０００８】
この光スイッチ体１’により光信号を断続切替えする従来技術は、試験の度に接続光ケーブルＥの接続コネクタＦの着脱が不要であるので、この接続コネクタＦの早期の劣化を防止することができると共に、単純なスイッチ操作により光信号の断続を達成できるので、機能試験の操作が簡単となる。
【０００９】
【発明が解決しようとする課題】
しかしながら、上記した従来技術にあっては、光スイッチ体１’を局内に分散して配置された光配線盤Ｄに取付けられるものであるため、光スイッチ体１’の操作に伴う試験結果であるランプ点灯等を確認するため伝送装置Ｃの表示を認識する必要があり、このため光スイッチ体１’を操作する者と、伝送装置Ｃのランプ点灯等を確認する者とを必要とするか、試験の度に光スイッチ体１’の操作者が伝送装置Ｃのところまでランプ点灯等を確認するために移動しなければならないと云う問題があった。
【００１０】
また、この光スイッチ体１’を光配線盤Ｄに接続するには、従前の技術と同様に、光配線盤Ｄに接続されている膨大な数の接続光ケーブルＥ内から、目的とする接続光ケーブルＥを選び出して抜き出し、代わりに光スイッチ体１’のコネクタ光ケーブルを光配線盤Ｄに装着することになるが、この作業は、その着脱操作の回数が減るものの、作業環境は全く同じであり、このため光配線盤Ｄに対するケーブルの着脱に関する不都合はそのままであると云う問題があった。
【００１１】
さらに、光スイッチ体１’による光信号の断続切替えは、光スイッチ体１’内におけるコネクタとアダプタとの着脱処理だけにより達成しているので、光信号の遮断が必ずしも完全なものではなく、このため光信号の断続状態の判断がし難いと云う問題があった。
【００１２】
そこで、本発明は、上記した従来技術における問題点を解消すべく創案されたもので、光多重伝送システムにおけるシステム機能試験を、試験結果を目視により確認できる状態で機能試験を実施できるようにすることを技術的課題とし、もって機能試験を効率良く、かつ良好な作業環境で行うことができ、またこの機能試験を安全にかつ精度良く実施できるようにすることを目的とする。
【００１３】
【課題を解決するための手段】
上記技術的課題を解決する本発明の手段は、
光多重伝送システムの単位システム別のシステム機能試験を行うべく、光配線盤に接続された接続光ケーブルと伝送装置の対応する機能部分との間に挿入接続される光スイッチ装置であること、
伝送装置に接続されるコネクタ光ケーブルと、接続光ケーブルが接続される光スイッチ本体とから構成されていること、
この光スイッチ本体に、各光信号伝送ライン別に、接続光ケーブルが着脱自在に接続される不動に固定されたスイッチアダプタと、コネクタ光ケーブルに接続され、スイッチアダプタに対して着脱自在に進退変位するスイッチコネクタと、このスイッチコネクタの後退変位状態で、スイッチコネクタとスイッチアダプタとの間に侵入して両者間の光信号の伝送を遮断し、スイッチコネクタのスイッチアダプタに対する前進装着状態で、スイッチコネクタとスイッチアダプタとの間から退避する遮光板と、を有するスイッチ部を設けること、
にある。
【００１４】
この手段において、光多重伝送システムの単位システムにおける０系部の二本の光信号伝送ラインと１系部の二本の光信号伝送ラインとに対応して、スイッチ部とコネクタ光ケーブルとの組合せを四つ並列に設けるのが良い。
【００１５】
この手段において、スイッチ部のスイッチコネクタを、不動に固定したレールに沿って、スイッチアダプタに対して直線的に進退移動するスライダに組付け固定し、遮光板を、スライダの側近に固定した固定片に基端を固定し、スイッチコネクタの後退変位状態で、このスイッチコネクタとスイッチアダプタとの間に先端部を侵入移動させ、スイッチコネクタの前進状態で、このスイッチコネクタとスイッチアダプタとの間から先端部を退避移動させる弾材製平板体とし、遮光板の先端部の移動変位を、この遮光板が弾接するスライダの移動変位に従った遮光板の弾性変形により行わせるのが有効である。
【００１６】
遮光板の先端部の移動変位を、スライダの移動変位に従った遮光板の弾性変形により達成する構成において、遮光板が弾接するスライダ部分を、このスライダに立設固定された、スプリング機能を有するピンで構成するのが良い。
【００１７】
この手段において、光スイッチ本体のスイッチ部を内蔵したケースの、スイッチコネクタと一体に移動する部分の直上となる頂板部分に、スイッチコネクタの移動方向に沿って長くなった長孔を開設し、この長孔から、スイッチコネクタと一体に移動する部分に基端を固定した摘みの先端部を突出させた構成とするのが有利である。
【００１８】
【作用】
局の伝送装置は、光多重伝送システムにおける各単位システム別に多重回路、光送信器、分離回路、光受信器、光変調器、光電変換部等の機能部分を一体的に集合させ、各単位システム毎にその機能の状態を表示するランプ等の表示機能部分を有しており、保守管理作業の必要から、充分に余裕のある作業スペースを設けて専用のフロアに設置されている。
【００１９】
この伝送装置と光配線盤との間を接続する接続光ケーブルは、システム機能試験時に、光信号のオン・オフ切替え機能を有する光スイッチ装置を介して伝送装置に接続されるので、接続光ケーブルおよび光スイッチ装置の着脱は充分な作業スペースを周囲に有する伝送装置に対して行われることになる。
【００２０】
また、光スイッチ装置は、伝送装置に接続されるので、この伝送装置の側近に位置することができ、このため光スイッチ装置の操作者が、そのシステム機能試験の操作結果を、直接伝送装置の表示機能部分の表示を目視して確認することができる。
【００２１】
なお、光多重伝送システムにおける単位システムのシステム機能試験の試験項目数は、子局に比べて親局の方がはるかに多く、子局の試験項目数はわずかであるので、システム機能試験のための光スイッチ装置の使用は、場合によっては親局だけに適用するものであっても良い。
【００２２】
光スイッチ装置による光信号のオン・オフ切替えは、光スイッチ本体の接続光ケーブルが接続されたスイッチアダプタに対する、光スイッチ本体のコネクタ光ケーブルが接続されたスイッチコネクタの着脱により達成される。
【００２３】
すなわち、光信号のオンは、スイッチコネクタを前進させてスイッチアダプタに装着させることにより、外部から不要な光を侵入させることのない状態で達成し、光信号のオフは、スイッチコネクタを後退させてスイッチアダプタから離脱させるだけではなく、この離脱により形成されたスイッチコネクタとスイッチアダプタとの間の空間に、この空間を通してのスイッチコネクタとスイッチアダプタとの間の光の伝送を完全に遮断する遮光板を侵入させることにより達成するので、明確で確実な光信号のオフ状態を得ることになる。
【００２４】
光スイッチ装置のスイッチ部とコネクタ光ケーブルとの組合せを、光多重伝送システムの単位システムにおける０系部の二本と１系部の二本の合計四本の光伝送ラインのそれぞれに対応させて四つ並列に設けた場合には、光スイッチ装置の伝送装置および接続光ケーブルに対する一回の接続切替えにより、単位システムに対する全てのシステム機能試験を、連続して行うことができる。
【００２５】
【実施例】
以下、本発明の実施例を図１ないし図８を参照しながら説明する。
図１は、本発明を親局Ａと子局Ｂの両方に実施した光多重伝送システムの簡略構成図を示すもので、親局Ａおよび子局Ｂ共に、伝送装置Ｃと光配線盤Ｄと接続光ケーブルＥと光スイッチ装置１とから構成されている。
【００２６】
伝送装置Ｃは、光信号を発生して送信すると共に、受信した光信号を電気信号に変換する光多重伝送システムの心臓部であって、一つの単位システムに対して０系部と１系部とを有し、両系部にはそれぞれ送信端子と受信端子とが設けられている。
【００２７】
伝送装置Ｃの各単位システム別に分散配置された光配線盤Ｄは、伝送装置Ｃの単位システムに対応して０系部と１系部とを有し、親局Ａと子局Ｂとの間を接続する光ケーブルＬの接続機能部分を構成している。
【００２８】
光配線盤Ｄに接続された接続光ケーブルＥの伝送装置Ｃへの接続を、オン・オフ切替え可能に接続する光スイッチ装置１は、光多重伝送システムの単位システムにおける０系部の二本の光伝送ラインと１系部の二本の光伝送ラインの各ラインに対応して、個々に切替え動作を行う四つのスイッチ部５を有している。
【００２９】
それゆえ、光ケーブルＬを新設して増設した単位システムをシステム機能試験を行う場合には、伝送装置Ｃの対応する単位システムに光スイッチ装置１を接続し、この光スイッチ装置１による光信号のオン・オフ切替え操作により、この新設した単位システムのシステム機能試験を行うことになり、このシステム機能試験は、光スイッチ装置１が伝送装置Ｃに接続されていることから、光スイッチ装置１のスイッチ切替え操作によるシステム機能試験結果を、伝送装置Ｃの表示機能部の表示を直接目視しながら行うことができる。
【００３０】
図２は、光スイッチ装置１を親局Ａだけに設けた場合を示すもので、この場合には、子局Ｂにおける光信号のオン・オフ切替え操作は、例えば光配線盤Ｄに対する接続光ケーブルＥの着脱により達成することになる。
【００３０】
図３ないし図８は、本発明の光スイッチ装置１の一実施例を示すもので、接続光ケーブルＥが接続され、光信号のオン・オフ機能部分である光スイッチ本体２と、この光スイッチ本体２を伝送装置Ｃに接続するコネクタ光ケーブル１９とから構成されており（図３参照）、この光スイッチ装置１は、コネクタ光ケーブル１９のコネクタを伝送装置Ｃに接続すると共に、プラグ枠１８に接続光ケーブルＥの接続コネクタＦを接続して光伝送ラインへの取付けが達成される。
【００３１】
コネクタ光ケーブル１９は、一本の光ケーブル線の先端に接続コネクタＦと同じコネクタを有し、基端に光スイッチ本体２に装着されるスイッチアダプタ２０を設けた構成となっている。
【００３２】
光スイッチ本体２（図４、図５および図８参照）は、中空直方体状のケース３の底板４上に、伝送装置Ｃの単位システムの四つの光伝送ラインに対応して四つのスイッチ部５の可動部を並列に配置すると共に、ケース３の一方側に、各スイッチ部５の可動部に対向して、スイッチ部５の固定部を構成するコネクタ光ケーブル１９のスイッチアダプタ２０を一定姿勢で不動に固定するアダプタ台１５を設け、ケース３の他方側に、ジャック枠１７とプラグ枠１８との組合せ物を取付け、このジャック枠１７のジャックに一端を接続した光ケーブル線の他端に設けたスイッチコネクタ１６をスイッチ部５の可動部に一定姿勢で不動に固定して構成されている。
【００３３】
スイッチ部５の可動部（図６、図７および図８参照）は、底板４上に不動に固定されたレール６に跨がる形態で組付けられ、このレール６にガイドされて進退移動するスライダ７の上に、高さを調整する平板状のスペーサ８を介してスイッチコネクタ１６を一定姿勢で不動に固定するコネクタ台９を固定し、このコネクタ台９上に、スイッチコネクタ１６をコネクタ台９に対して不動に固定するコネクタ押さえ１０を介して摘み１１を立設し、コネクタ台９の前端面側近となるスペーサ８の上面にスプリングピンであるピン１２を立設し、そしてスライダ７の側近の底板４上に立設固定された固定片１４に、スライダ７の進退移動に従って自身の弾力の作用によりコネクタ台９に固定されたスイッチコネクタ１６の前面域に出入りして、このスイッチコネクタ１６とスイッチアダプタ２０との間の光信号の送受を断続する弾材製平板状の遮光板１３を取付けて構成されている。
【００３４】
スイッチ部５の固定部は、光スイッチ本体２のケース３の一方側壁に固定されたアダプタ台１５と、このアダプタ台１５に一定姿勢で組付け固定されたコネクタ光ケーブル１９のスイッチアダプタ２０とから構成され、不動に固定された各スイッチアダプタ２０は、対向するスイッチ部５の可動部の各スイッチコネクタ１６が、その進退移動により着脱自在となる位置および姿勢、すなわち進退移動方向に沿わせたスイッチコネクタ１６の中心軸心に、その中心軸心を一致させた位置および姿勢で不動に組付け固定されている。
【００３５】
スイッチ部５の遮光板１３は、固定片１４に固定した基端部付近で、対向するスイッチコネクタ１６側に屈曲し、その先端部をスイッチコネクタ１６とスイッチアダプタ２０との間に形成される空間内に侵入し易いように屈曲させていて、その屈曲方向、すなわち対向するスイッチコネクタ１６に向かった方向に弾力を作用させた状態でピン１２に側方から弾接している。
【００３６】
それゆえ、スイッチコネクタ１６がスイッチアダプタ２０に装着した前進状態では、遮光板１３は、スイッチコネクタ１６とスイッチアダプタ２０との装着に先立って、スイッチコネクタ１６を固定したスライダ７と一体に前進変位したピン１２により、その弾力に逆らって側外方に押し出され、先端部をスイッチコネクタ１６とスイッチアダプタ２０との間の空間から側外方に退避させ、スイッチコネクタ１６とスイッチアダプタ２０の装着に邪魔となることがない。
【００３７】
反対に、スイッチコネクタ１６の後退状態では、遮光板１３は、スライダ７と一体となったピン１２の後退変位と自己の弾力とに従って、ピン１２に弾接摺動しながら、先端部を、形成されたスイッチコネクタ１６とスイッチアダプタ２０との間の空間内に、スイッチコネクタ１６とスイッチアダプタ２０との間の光信号の伝送を完全に遮断する位置まで侵入させる。
【００３８】
スイッチ部５の可動部、具体的にはスライダ７の直上となるケース３の頂板部分には、スイッチ部５の可動部の移動方向に沿って、かつ少なくともこのスイッチ部５の可動部を必要とする距離だけは移動させることのできる長さで長円状の長孔３’（図３および図５参照）が開設されており、この長孔３’からケース３外に突出した摘み１１の先端部を指先で操作して、スイッチ部５の可動部を進退変位させ、スイッチ部５における光信号の断続操作を行う。
【００３９】
なお、スイッチコネクタ１６とジャック枠１７との間を接続する光ケーブル線は、スイッチコネクタ１６の進退変位動作に従って、不要な引っ張りが作用しないようにすると共に、無理な曲げが生じないように充分な余長を持って（図４参照）設けられている。
【００４０】
【発明の効果】
本発明は、上記した構成となっているので、以下に示す効果を奏する。
光多重伝送システムにおける主体部分である一つの伝送装置に対する複数の光配線盤の接続を達成する接続光ケーブルの伝送装置に対する接続を、光スイッチ装置を介して達成するので、システム機能試験時に光信号伝送ラインのオン・オフ操作を行う光スイッチ装置を、機能試験結果の表示機能を有する伝送装置の近傍に位置させることができ、これにより光スイッチ装置を操作しながら、システム機能試験の結果を直接目視で確認することができ、もってシステム機能試験の実施がきわめて容易となると共に、正確な試験結果を速やかにかつ確実に得ることができる。
【００４１】
システム機能試験を行うべく、光信号伝送ラインに挿入接続される光スイッチ装置は、周囲に充分な作業スペースを有すると共に、各単位システムを一体的に纏めた伝送装置に直接接続されるので、その接続作業は良好な作業環境で行うことができると共に、作業中の引っ掛かり等により光多重伝送システムの機能部分に損傷を与える不都合の発生を充分に抑えることができ、もって良好な作業環境を得ることができると共に、作業の高い安全性を得ることができる。
【００４２】
光スイッチ装置における光信号伝送ラインの断続は、スイッチコネクタとスイッチアダプタとの装着による“続”と、スイッチコネクタとスイッチアダプタとが離反した状態での、スイッチコネクタとスイッチアダプタとの間への遮光板の侵入による“断”とにより達成するので、確実にかつ正確に行われ、もってシステム機能試験を確実にかつ精度良く達成できる。
【００４３】
光スイッチ装置の遮光板は、自身の弾力によりスイッチコネクタの進退変位に従って、スイッチコネクタとスイッチアダプタとの間に対して出入りするので、遮光板の動作制御は単にスイッチコネクタを進退変位させるだけで確実にかつ正確に達成され、もって光信号伝送ラインの断続操作が単純で簡単なものとなる。
【図面の簡単な説明】
【図１】本発明の一実施例を使用した、光多重伝送システムの全体概要図。
【図２】本発明の一実施例を使用した、光多重伝送システムの全体概要図。
【図３】本発明の光スイッチ装置の一例を示す、全体平面図。
【図４】図３に示した光スイッチ装置の光スイッチ本体の構造例を示す、ケースを破断した全体平面図。
【図５】図４に示した光スイッチ本体の全体側断面図。
【図６】図４に示した光スイッチ本体におけるスイッチ部の可動部の構成例を示す、全体側面図。
【図７】図６に示したスイッチ部の可動部の、全体正面図。
【図８】図４に示したスイッチ本体におけるスイッチ部の拡大平面図。
【図９】従前のシステム機能試験の説明に供する、全体システム概要図。
【図１０】従来のシステム機能試験の説明に供する、全体システム概要図。
【符号の説明】
１  ；  光スイッチ装置
１’；  光スイッチ体
２  ；  光スイッチ本体
３  ；  ケース
３’；  長孔
４  ；  底板
５  ；  スイッチ部
６  ；  レール
７  ；  スライダ
８  ；  スペーサ
９  ；  コネクタ台
１０；  コネクタ押さえ
１１；  摘み
１２；  ピン
１３；  遮光板
１４；  固定片
１５；  アダプタ台
１６；  スイッチコネクタ
１７；  ジャック枠
１８；  プラグ枠
１９；  コネクタ光ケーブル
２０；  スイッチアダプタ
Ａ  ；  親局
Ｂ  ；  子局
Ｃ  ；  伝送装置
Ｄ  ；  光配線盤
Ｅ  ；  接続光ケーブル
Ｆ  ；  接続コネクタ
Ｌ  ；  光ケーブル
【図１】
0003637377.tif 000002
【図２】
0003637377.tif 000003
【図３】
0003637377.tif 000004
【図４】
0003637377.tif 000005
【図５】
0003637377.tif 000006
【図６】
0003637377.tif 000007
【図７】
0003637377.tif 000008
【図８】
0003637377.tif 000009
【図９】
0003637377.tif 000010
【図１０】
0003637377.tif 000011